(57)【特許請求の範囲】
【請求項１】
気体中のセシウムを除去処理するための装置であって、
気体を湿度６０％以上に加湿するための加湿器と、該加湿器により加湿された気体中のセシウムを除去するためのプルシアンブルーが付加されたセシウム除去フィルターを備えたものであることを特徴とするセシウム除去処理装置。
【請求項２】
前記セシウム除去処理装置はドレン管をさらに備えており、該ドレン管は前記セシウム除去フィルターによりセシウムが除去された気体からのドレン水を抜くためのものであることを特徴とする請求項１に記載のセシウム除去処理装置。
【請求項３】
前記セシウム除去処理装置は除湿機をさらに備えており、該除湿機は前記セシウム除去フィルターによりセシウムが除去された気体を除湿するものであることを特徴とする請求項１または請求項２に記載のセシウム除去処理装置。
【請求項４】
前記セシウム除去処理装置はファンをさらに備えており、該ファンは装置内に気体を吸気するためのものであることを特徴とする請求項１から請求項３のいずれか一項に記載のセシウム除去処理装置。
【請求項５】
前記セシウム除去処理装置は気体中の粉じんを除去するための粉じん除去フィルターをさらに備えたものであることを特徴とする請求項１から請求項４のいずれか一項に記載のセシウム除去処理装置。
【請求項６】
前記セシウム除去処理装置は送気側に接続用のフランジ部を有しており、該送気側のフランジ部は建物の吸気ダクトに接続可能なものであり、外気中のセシウムを除去処理して建物内に送気可能なものであることを特徴とする請求項１から請求項５のいずれか一項に記載のセシウム除去処理装置。
【請求項７】
前記セシウム除去処理装置は吸気側に接続用のフランジ部を有しており、該吸気側のフランジ部はセシウムに汚染されたガスを放出する排気ダクトに接続可能なものであり、排ガス中のセシウムを除去処理するものであることを特徴とする請求項１から請求項６のいずれか一項に記載のセシウム除去処理装置。
【請求項８】
前記セシウム除去処理装置は筐体をさらに備えており、該筐体内に前記セシウム除去フィルターが配設されており、該筐体内に吸気された気体が、前記加湿器により加湿されて前記セシウム除去フィルターによりセシウムが除去されるものであることを特徴とする請求項１から請求項７のいずれか一項に記載のセシウム除去処理装置。
【発明の詳細な説明】
【技術分野】
【０００１】
本発明は気体中のセシウムを除去処理するための装置に関する。
【背景技術】
【０００２】
建物には内部の空気を換気するために外気を取り入れるダクトが備えられている。この外気中には種々の不純物、例えば粉じんが含まれており、これらを外気中から除去するため、ダクトにはフィルターが配置されている（特許文献１参照）。
【０００３】
また、逆に工場や処理施設等の建物からガスを排気するためのダクトにもこれらのフィルターが配置されることがある。例えば焼却炉あるいはその他の施設において、焼却によって発生した排ガスなどに含まれる粉じんや有害物を除去するためにフィルターが用いられている。
【先行技術文献】
【特許文献】
【０００４】
【特許文献１】特開２０００−２４９３８０号公報
【発明の概要】
【発明が解決しようとする課題】
【０００５】
ここで、外気中の不純物として、粉じんの他に放射性元素、特には半減期の長いセシウムが含まれる場合がある。この外気中のセシウムが建物等に入り込んだ場合、当然屋内の人に悪影響を与えることとなる。
【０００６】
また、焼却炉からの排ガスや、あるいはその他の施設等から放出されるガス中に高濃度のセシウムが含まれていて大気に放出されると、拡散によってそれらの施設の周辺のみならず数百ｋｍ以上も離れた地域の人々にも影響を与えることになる。
【０００７】
そして本発明者らはこのセシウムについて鋭意研究し、従来のような粉じん除去のためのＨＥＰＡフィルターやゼオライトフィルターのみでは気体中のセシウムを効率良く除去できていないことを見出した。
【０００８】
そこで、本発明は、上記問題点に鑑みてなされたものであって、例えば、セシウムにより汚染された外気や、焼却炉あるいはその他の施設等からのセシウムを含むガスなど、種々の気体からセシウムを効率良く除去処理することができるセシウム除去処理装置を提供することを目的とする。
【課題を解決するための手段】
【０００９】
上記目的を達成するために、本発明は、気体中のセシウムを除去処理するための装置であって、気体を加湿するための加湿器と、該加湿器により加湿された気体中のセシウムを除去するためのセシウム除去フィルターを備えたものであることを特徴とするセシウム除去処理装置を提供する。
【００１０】
このような本発明のセシウム除去処理装置であれば気体中のセシウムを除去することができる。しかも、処理される気体は加湿器により加湿されており、気体中のセシウムをイオン化させることができ、セシウム除去フィルターによって効率良くセシウムを除去することが可能である。
したがって、外気や施設内等における気体を処理して、セシウムによる汚染を大幅に抑制した気体を得ることができ、その気体と接した人が放射性汚染を受けるのを防止することが可能である。建物内の人や、あるいは汚染地域から離れた地域にいる人に、セシウムにより汚染された気体で悪影響が及ぶのを防ぐことができる。
【００１１】
また、前記加湿器は、湿度５０％以上に気体を加湿するものとすることができる。
このようなものであれば、より効果的にセシウムをイオン化することができ、より効率良くセシウムを除去することができる。
【００１２】
また、前記セシウム除去処理装置はドレン管をさらに備えており、該ドレン管は前記セシウム除去フィルターによりセシウムが除去された気体からのドレン水を抜くためのものとすることができる。
【００１３】
このようなものであれば、装置内で凝縮したドレン水を適切に抜くことができ、装置内に水が貯まるのを抑制することができる。しかも、セシウムが除去された気体からのドレン水なので、装置内から抜いた水にセシウムが含まれていることもなく処理が簡単である。
【００１４】
また、前記セシウム除去処理装置は除湿機をさらに備えており、該除湿機は前記セシウム除去フィルターによりセシウムが除去された気体を除湿するものとすることができる。
このようなものであれば、セシウム除去後の気体を除湿して湿度を低くすることができるため、セシウム除去処理装置からの気体の湿度が高いことが原因で人々や他の施設等に不具合が生じるのを防止することができる。
【００１５】
また、前記セシウム除去処理装置はファンをさらに備えており、該ファンは装置内に気体を吸気するためのものとすることができる。
【００１６】
このようなものであれば、効率良く、気体を装置内に吸気して処理することができる。
【００１７】
また、前記セシウム除去処理装置は気体中の粉じんを除去するための粉じん除去フィルターをさらに備えたものとすることができる。
【００１８】
このようなものであれば、気体中にセシウムの他に粉じんが存在する場合、その粉じんを除去できるし、粉じんによりセシウム除去フィルターが目詰まり等を起こしてセシウムの除去効率が低下するのを防ぐことができる。
【００１９】
また、前記セシウム除去処理装置は送気側に接続用のフランジ部を有しており、該送気側のフランジ部は建物の吸気ダクトに接続可能なものであり、外気中のセシウムを除去処理して建物内に送気可能なものとすることができる。
【００２０】
このようなものであれば、外気中のセシウムを除去処理することができ、該除去処理された外気を吸気ダクトを介して建物内に送気することが可能であるため、建物内の人がセシウムによる放射性汚染を受けることがなく安全である。
【００２１】
また、前記セシウム除去処理装置は吸気側に接続用のフランジ部を有しており、該吸気側のフランジ部はセシウムに汚染されたガスを放出する排気ダクトに接続可能なものであり、排ガス中のセシウムを除去処理するものとすることができる。
【００２２】
このようなものであれば、排気ダクト、すなわち、例えば焼却炉や他の施設に設けられており、内部のガスを外部へ放出するダクトから、セシウムに汚染されたガスを装置内に取り入れてセシウムを除去処理することができるので、その施設等から大気などへ、セシウムで汚染されたガスが放出されるのを防ぐことができる。
【００２３】
また、前記セシウム除去処理装置は筐体をさらに備えており、該筐体内に前記セシウム除去フィルターが配設されており、該筐体内に吸気された気体が、前記加湿器により加湿されて前記セシウム除去フィルターによりセシウムが除去されるものとすることができる。
【００２４】
このようなものであれば、特には屋外に装置を配置し、筐体内でセシウムの除去処理を行うことができる。
【発明の効果】
【００２５】
以上のように、本発明のセシウム除去処理装置であれば、処理される気体は加湿器により加湿されており、セシウムをイオン化させることができ、セシウム除去フィルターによって効率良く気体中のセシウムを除去することが可能である。その結果、セシウムにより汚染された気体で人々が放射性汚染を受けるのを防止することができる。
【図面の簡単な説明】
【００２６】
【図１】本発明のセシウム除去処理装置（屋内設置型であり、屋外から屋内へ送気）の一例を示す概略図である。
【図２】セシウム除去処理装置の斜視図である。
【図３】本発明のセシウム除去処理装置（屋外設置型であり、屋外から屋内へ送気）の一例を示す概略図である。
【図４】水平面に対して角度のついた屋根を有する屋外設置型の本発明のセシウム除去処理装置の一例を示す概略図である。
【図５】本発明のセシウム除去処理装置（屋外設置型であり、屋内から屋外へ送気）の一例を示す概略図である。
【発明を実施するための形態】
【００２７】
以下、本発明のセシウム除去処理装置について、実施態様の一例として、図を参照しながら詳細に説明するが、本発明はこれに限定されるものではない。
図１に、本発明のセシウム除去処理装置の一例を示す。このセシウム除去処理装置１は、屋内に配設するタイプのものであり、また、外気を処理して屋内にセシウム汚染されていない清浄な空気を取り入れるためのものである。
【００２８】
セシウム除去処理装置１は筐体２、加湿器３、セシウム除去フィルター４を備えている。なお、図１では上記のように筐体２を有している例を示しているが、これに限定されず、筐体は設けず、建物内のダクト等に対して加湿器３やセシウム除去フィルター４を直接的に配設することも可能である。
【００２９】
ここで、まず筐体２はセシウム除去フィルター４を内部に配設可能なものであれば良い。なお、図１の例では加湿器３は筐体２の外に配設されているが、これに限定されず、筐体２の中に配設することも可能である。建物の内部に配設することができるように適切な形状、大きさのものを用意することができ、特に限定されるものではない。
【００３０】
筐体２にはガラリ５が設けられており、建物の外壁に沿って配置されたガラリ５から外気を吸気できるようになっている。ガラリ５自体は特に限定されず、例えば従来からあるものと同様のものを用いることができる。
また、筐体２の中には加湿部屋６が設けられており、該加湿部屋６において、ガラリ５を通して吸気された外気が加湿器３によって加湿される。
さらに筐体２には上述したようにセシウム除去フィルター４が配設されており、加湿部屋６内で加湿された気体中のセシウムを除去可能である。
【００３１】
そして、筐体２はさらにフランジ部７を有しており、該フランジ部７は建物内に元々設けられている外気を吸気するためのダクト８と接続されている。このため、セシウム除去フィルター４によりセシウムが除去された外気はフランジ部７から吸気ダクト８へ送気され、吸気ダクト８を通して建物内の各部屋へと送ることができる。
フランジ部７の形状、サイズは特に限定されず、建物の吸気ダクト８に応じて適宜決定することができる。吸気ダクト８に容易に脱着できるものであれば良い。
【００３２】
また、加湿器３は蒸気を発生して加湿部屋６内に送ることができ、加湿部屋６内に吸気された外気を加湿できるものであれば良く、特に限定されない。例えば従来から市販等されているものと同様のものとすることができる。加湿部屋６に湿度計が備えられており、該湿度計の測定値に応じて加湿部屋６内の湿度を自動的に制御可能なものとすることができる。
【００３３】
特には、加湿部屋６内を湿度５０％以上に加湿するものであると良い。このようなものであれば、加湿部屋６内に吸気した外気を十分に加湿することができ、その外気中のセシウムをより効率的に、より確実にイオン化することができる。そしてセシウムをイオン化させることによって、例えば後述するようなセシウム除去フィルター４で効率良くセシウムを捕集して外気中から除去することが可能になる。
もちろん、湿度はこの数値範囲に限定されるものではなく、加湿器３を用い、加湿部屋６内の湿度をその都度適切な数値に調整することができる。例えば、６０％以上に加湿することにより、セシウムのイオン化を一層効率良く行うことができる。
【００３４】
セシウム除去フィルター４としては、例えば、プルシアンブルーを付加したものとすることができる。このプルシアンブルーとは、ミロリブルー、ベルリンブルー、アイアンブルー等、種々の慣用名がある顔料である。このプルシアンブルーを不織布等に担持させたフィルターを用いることができる。
これにより、セシウムを選択的に吸着し、外気中から除去することができる。セシウムを選択的に除去できることでフィルター自体の処理が比較的容易になる。また、洗浄してもセシウムがフィルターから容易に離れることもない。このようなセシウム除去フィルター４としては、例えば、日本バイリーン株式会社等から市販されている。
【００３５】
プルシアンブルーが担持されたセシウム除去フィルター４においてセシウムを除去可能なのは、イオン交換あるいは吸着によるものと考えられている。
加湿によりイオン化されたセシウムイオンは、例えば、アンモニウムイオンよりもイオン半径が大きく、また、イオン半径が大きくなるに従いプルシアンブルーとの親和力が多くなるため、プルシアンブルー中のアンモニウムイオン等の陽イオンがセシウムイオンとイオン交換で置き換えられると考えられる。
または、プルシアンブルーの結晶の間隔の中にセシウムイオンが選択的に吸着されると考えられる。
【００３６】
なお、当然、上記のプルシアンブルーを担持させたものに限定されず、加湿された気体中に存在するセシウムを効率良く捕集して除去できるフィルターであれば良い。
【００３７】
従来では、粉じん除去用にＨＥＰＡフィルターやゼオライトフィルター等が採用されていたが、これらはセシウムを選択して除去できるものでもなく、他の不純物も捕集してしまい、セシウムの除去という観点からは効率が悪い。他の不純物も捕集してしまうことで交換頻度も高くなってしまう。さらには、その他の不純物とセシウムが捕集されてしまうことで、フィルター自体の処理も困難になってしまう。
【００３８】
なお、セシウム除去フィルター４の取り付け手段は特に限定されず、種々の素材からなる枠の中に固定し、該枠を筐体２内に固定すれば良い。枠の素材も特に限定されず、アルミや木材、紙など適宜決定することができる。セシウム除去フィルター４と一緒にまとめて処理可能であればさらに良い。
【００３９】
また、セシウム除去フィルター４の配置位置、数等は特に限定されず、適宜決定することができる。配置位置は加湿された外気が通過する位置であれば良く、配置する数は外気中のセシウムの濃度等に応じて決定すれば良い。
【００４０】
このように、筐体２、加湿器３、セシウム除去フィルター４について特に説明してきたが、本発明のセシウム除去処理装置１は、必要に応じてさらに以下のようなものを備えたものとすることができる。
例えば除湿機９が挙げられる。建物内に湿った空気が送気されるのが不都合である場合、除湿機９をさらに配設することができる。加湿された外気の湿度を下げることができるものであれば良く、特には限定されず、市販のもの等を用いることができる。外気の流れに対して、セシウム除去フィルター４よりも下流に配置する。下流に配置するのは、外気を加湿された状態でセシウム除去フィルター４に通すためである。例えば、図１に示すように、セシウム除去フィルター４の下流で、送気側のフランジ部７の手前に配置することができる。
【００４１】
また、筐体２にはドレン管１０が設けられている。ドレン管１０は筐体２内に貯まった水を抜けるものであれば良く、特に限定されない。
例えば、まず、外気の流れに対して、セシウム除去フィルター４よりも下流に設けることができる（ドレン管１０ａ）。セシウム除去フィルター４でセシウムは除去されているので、それより下流の筐体２内でのドレン水はセシウムが含まれておらず、このドレン水の処理もし易い。この場合、効率良くドレン水を排水するため、筐体２内のセシウム除去フィルター４よりも下流において、筐体２の床に、ドレン管１０ａに向かって下方へ傾斜するような勾配を設けることができる。
【００４２】
また、セシウム除去フィルター４において、加湿された外気が接触すると、上記のようにセシウムが除去されるが、一方、外気中の水蒸気が凝縮してセシウム除去フィルター４を伝って下方へと流れる。そして、そのセシウム除去フィルター４の下端と接触する位置に別途ドレン管１０ｂを設けても良い。このようなものであれば、セシウム除去フィルター４でセシウムが除去され、セシウムを含まないドレン水を回収することができる。なお、セシウム除去フィルター４を伝っておりてきたドレン水だけを回収できるように、加湿部屋６の床に適当な勾配、例えばセシウム除去フィルター４からガラリ５に向かって下方へ傾斜するような勾配を設け、セシウム除去フィルター４以外からのドレン水がドレン管１０ｂへ入らないようにすると良い。もちろん、加湿部屋６内のドレン水を抜くためのドレン管を別途備えることもできる。
【００４３】
また、セシウム除去処理装置１内に外気を吸気するためのファン１１をさらに備えることができる。例えばセシウム除去フィルター４と送気側のフランジ部７との間に配置することができる。外気をセシウム除去処理装置１内に取り込み、フランジ部７から建物の吸気ダクト８へ外気を送気できるものであれば良く、特に限定されない。このようなファン１１を備えることでより効率良く外気を吸気・送気してセシウム除去処理を行うことができる。
なお、当然、ファン１１がなくとも、建物の吸気ダクト８等に予め備えられた既存のファン等を利用して外気の吸気・送気を図ることができる。
【００４４】
また、外気中の粉じんを除去するための粉じん除去フィルター１２を別途配設することができる。この粉じん除去フィルター１２は特に限定されず、例えば従来と同様のものを用いることができる。ＨＥＰＡフィルターやゼオライトフィルター等が挙げられる。
例えば外気を加湿する位置よりも上流側に配置することができる。該粉じん除去フィルター１２によって予め粉じんを除去しておくことにより、粉じんによってセシウム除去フィルター４でのセシウムの除去能力が低下するのを抑制することができる。
もちろん、この配置位置に限定されず、セシウム除去フィルター４の下流、あるいは上流および下流の両方に配置することもできる。外気中の粉じんの量等によって適宜決定することができる。外気中のセシウムをセシウム除去フィルター４でより効率良く除去できるように調整すれば良い。
【００４５】
また、図２にセシウム除去処理装置１の斜視図を示す。図２に示すようにセシウム除去フィルター４など、筐体２内の各部品の点検・交換等行えるように点検口１３を適宜設けることができる。
【００４６】
以上のような本発明のセシウム除去処理装置１であれば、外気中のセシウムを効率良く除去することができ、セシウムに汚染されていない清浄な空気を建物の内部へ送気することが可能である。したがって、屋内の人が、取り入れた外気中のセシウムによって放射性汚染を受けることを防止することができる。
【００４７】
次に、図３に、本発明のセシウム除去処理装置の別の一例を示す。このセシウム除去処理装置１０１は、屋外に配設するタイプのものであり、また、外気を処理して屋内にセシウム汚染されていない清浄な空気を取り入れるためのものである。
【００４８】
セシウム除去処理装置１０１は、筐体１０２、加湿器１０３、セシウム除去フィルター１０４を備えている。
この筐体１０２は屋外に配設されるため、風雨にさらされるのであれば、例えば図１のセシウム除去処理装置１の筐体２よりも強固なものとすると良い。
また、図３では筐体１０２の屋根部は水平になっているが、筐体１０２の上に雨等により水が貯まったり雪が積もったりするのを防ぐため、筐体１０２の屋根部に角度（例えば３０°程度）をつけたり、あるいは別個、水平面に対して角度をつけて屋根を設けておくことにより、上に積もった雪等が自動的に落ちるようにすると良い。別個に屋根を設けた例を図４に示す。図４の場合、奥側に雪や雨水等は落ちるようになっている。
【００４９】
また、このように屋外設置型であれば、屋内設置型よりも比較的スペースを広く取りやすく、設置も容易である。必要に応じて大規模な筐体１０２を用意することもできる。もちろん、家庭用として小規模なものとすることもできる。
【００５０】
また、加湿器１０３やセシウム除去フィルター１０４は、図１のセシウム除去処理装置１のものと同様のものとすることができる。サイズ、数など、セシウム除去処理装置１０１の規模に応じて適切なものをその都度用意することができる。配設位置も特に限定されず、図３のように筐体１０２の外に加湿器１０３を配設しても良いし、筐体１０２の中に配設することもできる。
【００５１】
さらには、ガラリ１０５、除湿機１０９やドレン管１１０、ファン１１１、粉じん除去フィルター１１２、その他に必要な構成部材を適宜具備することができる。これらは例えば図１のセシウム除去処理装置１のものと同様のものとすることができる。なお、これらの数、配設位置等は適宜決定できる。
【００５２】
例えば図３では、筐体１０２の屋根部に上方に延びるダクトを設けており、該ダクトには送気側のフランジ部１０７が形成されており、建物の吸気ダクト１０８と接続されている。そして、該屋根部から延びるダクト内に除湿機１０９が配設されている。
【００５３】
以上、本発明のセシウム除去処理装置において、セシウムにより汚染された外気を処理して屋内に清浄な空気を取り入れるタイプのものについて説明してきたが、本発明はこれらに限定されず、逆に、セシウムに汚染された屋内のガスを処理して屋外等へ放出するタイプのものとすることもできる。
建物等の排気ダクトからのガスとして、例えば、セシウムで汚染された瓦礫等を焼却等して処理するための焼却炉からの排ガスや、あるいは原子力発電所などセシウムで汚染された施設内部のガスを挙げることができ、それらを処理することができる。
【００５４】
図５にその一例を示す。
なお、ここでは、図５に示すように屋外設置型のセシウム除去処理装置２０１について説明する。ただし、このような屋内のガスを処理して屋外等へと放出するタイプにおいても、屋外に配設するものに限定されず、当然、屋内に設置可能なものとすることもできる。
【００５５】
図５のセシウム除去処理装置２０１は、筐体２０２、加湿器２０３、セシウム除去フィルター２０４を備えている。
筐体２０２の屋根部から延びるダクトには、ガスを吸気する側にフランジ部２１４が設けられている。施設等に元々設けられている排気ダクト２１５に対して、上記吸気側のフランジ部２１４が接続されている。このため、屋内のセシウムに汚染されたガスは、排気ダクト２１５を通り、フランジ部２１４から筐体２０２内へと吸気することができる。
【００５６】
また、筐体２０２内にはセシウム除去フィルター２０４が配設されており、加湿器２０３により加湿されたガス中のセシウムを除去することができる。
そして、ガスの流れに対してセシウム除去フィルター２０４の下流では、筐体２０２に放出部が設けられており、セシウム除去処理されたガスが放出部から放出可能になっている。
【００５７】
なお、加湿器２０３やセシウム除去フィルター２０４は図１、３のセシウム除去処理装置１、１０１のものと同様のものとすることができる。
さらには、除湿機２０９やドレン管２１０、ファン２１１、粉じん除去フィルター２１２、その他に必要な構成部材を適宜具備することができる。これらは例えば図１、３のセシウム除去処理装置１、１０１のものと同様のものとすることができる。これらの数、配設位置等は適宜決定できる。
【００５８】
このようなセシウム除去処理装置２０１によって、屋内のガスからセシウムを効率良く除去することができ、セシウムに汚染されていない清浄な空気を大気中などへ放出することができる。したがって、その施設等の周辺はもちろんのこと、離れた地域へセシウムが大気拡散することもなく、人々が放射性汚染を受けることを防ぐことができる。
【００５９】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【００６０】
例えば、図１〜５では、加湿器として加湿部屋内に蒸気を送って外気や排ガス等を加湿するものを例に挙げたが、これに限定されることなく、結果として外気や排ガス等を加湿する機能を備えたものであれば良い。
例えばスクラバーが挙げられる。スクラバーは、排ガス等の気体中に含まれる粉じん等を水などを用いて除去処理するものである。粉じん等の捕集・除去を、高圧にした水をノズルから気体中に噴射して行う加圧水方式、貯めた水の中に気体をくぐらせて行う溜水方式、水を噴霧した充填物の間を気体を通過させて行う充填層方式、回転体で分散させた水に気体を触れさせて行う回転方式などがあり、スクラバーでの処理によって気体は加湿される。
本発明では、このようにスクラバーで処理されて加湿された気体から、セシウム除去フィルターでセシウムを除去する態様のものとすることもできる。
【符号の説明】
【００６１】
１…本発明のセシウム除去処理装置（屋内設置型であり、屋外から屋内へ送気）、
２、１０２、２０２…筐体、  ３、１０３、２０３…加湿器、
４、１０４、２０４…セシウム除去フィルター、  ５、１０５…ガラリ、
６…加湿部屋、  ７、１０７…送気側のフランジ部、
８、１０８…建物の吸気ダクト、  ９、１０９、２０９…除湿機、
１０、１０ａ、１０ｂ、１１０、２１０…ドレン管、
１１、１１１、２１１…ファン、
１２、１１２、２１２…粉じん除去フィルター、  １３…点検口、
１０１…本発明のセシウム除去処理装置（屋外設置型であり、屋外から屋内へ送気）、
２０１…本発明のセシウム除去処理装置（屋外設置型であり、屋内から屋外へ送気）、
２１４…吸気側のフランジ部、  ２１５…施設等の排気ダクト。
【図１】
0006006952.tif 000002
【図２】
0006006952.tif 000003
【図３】
0006006952.tif 000004
【図４】
0006006952.tif 000005
【図５】
0006006952.tif 000006